(57)【要約】【課題】撮影シーンに応じて使用する撮影モードは複数存在するが、カメラのモード選択メニューの表示順番は固定しているので、そのシーンで設定したいモードまでが遠いことがある。これを少ない操作で設定できるようにする。【解決手段】時計で時刻を判断し、時間帯によって撮影モード選択メニューの表示順番を入れ換え、その時間で多用されるモードを最初に持ってくる。これを時計だけでなく、ＡＥからの輝度情報、ＧＰＳによって屋内・屋外かの情報、時計の日付による季節情報、温度計による気温情報、ＧＰＳと通信機能による天気情報、圧力計による水中／高所かの情報を元に撮影シーンを推定し、そのシーンで多用される撮影モード・ＷＢモードを一番最初に表示させる。【選択図】        図１
2004336326.tif 000002
【特許請求の範囲】
【請求項１】
撮像した静止画像及び或いは動画像を記録媒体に記録及び再生表示する画像処理装置であって、
撮像手段と、制御手段と、表示手段と、時刻計測手段と、複数の撮影モードから１つを選択する撮影モード選択手段とを有し、
撮影モードの選択は、表示手段に撮影モード選択メニューを表示して、撮影モードを選択させる画像処理装置において、
前記制御手段は、
時刻計測手段によって現在時刻を取得し、
日中の時間帯であれば、表示手段に表示する撮影モード選択メニューに、日中に多用する撮影モードを
夕方の時間帯であれば、表示手段に表示する撮影モード選択メニューに、夕方に多用する撮影モードを
夜間の時間帯であれば、表示手段に表示する撮影モード選択メニューに、夜間に多用する撮影モードを
メニューの一番最初に表示させることを特徴とする画像処理装置。
【請求項２】
請求項１に記載の
日中に多用する撮影モードは風景モード、スポーツモード、
ホワイトバランスモードの太陽光モード、曇りモードを含み、
夕方に多用する撮影モードは夕焼けモードを含み、
夜間に多用する撮影モードは夜景モード、スローシンクロモード、花火モードホワイトバランスの蛍光灯モード、電球モード、フラッシュモードを含んでいる
ことを特徴とする請求項１に記載の画像処理装置。
【請求項３】
撮像した静止画像及び或いは動画像を記録媒体に記録及び再生表示する画像処理装置であって、
撮像手段と、制御手段と、表示手段と、測光手段と、複数の撮影モードから１つを選択する撮影モード選択手段とを有し、
撮影モードの選択は、表示手段に撮影モード選択メニューを表示して、撮影モードを選択させる画像処理装置において、
前記制御手段は、
測光手段によって周辺輝度を取得し、
輝度レベル所定値以上であれば、表示手段に表示する撮影モード選択メニューに、明るい場所で多用する撮影モードを
輝度レベル所定値以下であれば、表示手段に表示する撮影モード選択メニューに、暗い場所で多用する撮影モードを
メニューの一番最初に表示させることを特徴とする画像処理装置。
【請求項４】
請求項１に記載の
明るい場所で多用する撮影モードは風景モード、スポーツモード、
ホワイトバランスモードの太陽光モード、曇りモードを含み、
暗いい場所で多用する撮影モードは夜景モード、スローシンクロモード、花火モード、夕焼けモード
ホワイトバランスの蛍光灯モード、電球モード、フラッシュモードを含んでいる
ことを特徴とする請求項３に記載の画像処理装置。
【請求項５】
撮像した静止画像及び或いは動画像を記録媒体に記録及び再生表示する画像処理装置であって、
撮像手段と、制御手段と、表示手段と、測位手段と、複数の撮影モードから１つを選択する撮影モード選択手段とを有し、
撮影モードの選択は、表示手段に撮影モード選択メニューを表示して、撮影モードを選択させる画像処理装置において、
前記制御手段は、
測位手段の出力を検出し、
測位可能であれば、表示手段に表示する撮影モード選択メニューに、屋外で多用する撮影モードを
測位不能であれば、表示手段に表示する撮影モード選択メニューに、屋内で多用する撮影モードを
メニューの一番最初に表示させることを特徴とする画像処理装置。
【請求項６】
請求項１に記載の
屋外で多用する撮影モードは風景モード、スポーツモード、
ホワイトバランスモードの太陽光モード、曇りモードを含み、
屋内で多用する撮影モードはポートレートモード、
ホワイトバランスモードの蛍光灯モード、電球モード、フラッシュモードを含んでいる
ことを特徴とする請求項５に記載の画像処理装置。
【請求項７】
撮像した静止画像及び或いは動画像を記録媒体に記録及び再生表示する画像処理装置であって、
撮像手段と、制御手段と、表示手段と、日付計測手段と、複数の撮影モードから１つを選択する撮影モード選択手段とを有し、
撮影モードの選択は、表示手段に撮影モード選択メニューを表示して、撮影モードを選択させる画像処理装置において、
前記制御手段は、
日付計測手段によって日付を取得し、
春の季節であれば、表示手段に表示する撮影モード選択メニューに、春に多用する撮影モードを
夏の季節であれば、表示手段に表示する撮影モード選択メニューに、夏に多用する撮影モードを
秋の季節であれば、表示手段に表示する撮影モード選択メニューに、秋に多用する撮影モードを
冬の季節であれば、表示手段に表示する撮影モード選択メニューに、冬に多用する撮影モードを
メニューの一番最初に表示させることを特徴とする画像処理装置。
【請求項８】
請求項１に記載の
春に多用する撮影モードは新緑モードを含み、
夏に多用する撮影モードは砂浜モード、海辺モードを含み、
秋に多用する撮影モードは紅葉モードを含み、
冬に多用する撮影モードは雪景色モードを含んでいる
ことを特徴とする請求項７に記載の画像処理装置。
【請求項９】
撮像した静止画像及び或いは動画像を記録媒体に記録及び再生表示する画像処理装置であって、
撮像手段と、制御手段と、表示手段と、温度計測手段と、複数の撮影モードから１つを選択する撮影モード選択手段とを有し、
撮影モードの選択は、表示手段に撮影モード選択メニューを表示して、撮影モードを選択させる画像処理装置において、
前記制御手段は、
温度計測手段によって気温を取得し、
気温が所定値以上であれば、表示手段に表示する撮影モード選択メニューに、暑い場所で多用する撮影モードを
気温が所定値以下であれば、表示手段に表示する撮影モード選択メニューに、寒い場所で多用する撮影モードを
メニューの一番最初に表示させることを特徴とする画像処理装置。
【請求項１０】
請求項９に記載の
暑い場所で多用する撮影モードは砂浜モード、海辺モードを含み、
寒い場所で多用する撮影モードは雪景色モードを含んでいる
ことを特徴とする請求項９に記載の画像処理装置。
【請求項１１】
撮像した静止画像及び或いは動画像を記録媒体に記録及び再生表示する画像処理装置であって、
撮像手段と、制御手段と、表示手段と、通信手段と、測位手段と、複数の撮影モードから１つを選択する撮影モード選択手段とを有し、
撮影モードの選択は、表示手段に撮影モード選択メニューを表示して、撮影モードを選択させる画像処理装置において、
前記制御手段は、
測位手段によって現在位置を取得し、通信手段によって現在位置の天候を取得して、
天候が晴れであれば、表示手段に表示する撮影モード選択メニューに、天候が晴れの時に多用する撮影モードを
天候が曇りであれば、表示手段に表示する撮影モード選択メニューに、天候が曇りの時に多用する撮影モードを
天候が雪であれば、表示手段に表示する撮影モード選択メニューに、雪が曇りの時に多用する撮影モードを
メニューの一番最初に表示させることを特徴とする画像処理装置。
【請求項１２】
請求項１１に記載の
天候が晴れの時に多用する撮影モードはホワイトバランスモードの太陽光モードを含み、
天候が曇りの時に多用する撮影モードはホワイトバランスモードの曇りモードを含み、
天候が雪の時に多用する撮影モードは雪景色モードを含んでいる
ことを特徴とする請求項１１に記載の画像処理装置。
【請求項１３】
撮像した静止画像及び或いは動画像を記録媒体に記録及び再生表示する画像処理装置であって、
撮像手段と、制御手段と、表示手段と、圧力検出手段と、複数の撮影モードから１つを選択する撮影モード選択手段とを有し、
撮影モードの選択は、表示手段に撮影モード選択メニューを表示して、撮影モードを選択させる画像処理装置において、
前記制御手段は、
圧力検出手段からの出力を取得して、
圧力が所定値以上であれば、表示手段に表示する撮影モード選択メニューに、水中で多用する撮影モードを
圧力が所定値以下であれば、表示手段に表示する撮影モード選択メニューに、高所で多用する撮影モードを
メニューの一番最初に表示させることを特徴とする画像処理装置。
【請求項１４】
請求項１３に記載の
水中で多用する撮影モードはホワイトバランスモードの水中モード、フラッシュモードを含み、
高所で多用する撮影モードはホワイトバランスモードの太陽光モード、曇りモードを含んでいる
ことを特徴とする請求項１３に記載の画像処理装置。
【請求項１５】
請求項１、２、３、４、５、６、７、８、９、１０、１１、１２、１３、１４に記載の画像処理装置において、それぞれの条件において多用される撮影モードは使用者自身が自由に設定することが可能であることを特徴とする画像処理装置。
【発明の詳細な説明】
【０００１】
【発明の属する技術分野】
本発明は、静止画像や動画像を撮像、記録、再生する画像処理装置に関する。
【０００２】
【従来の技術】
従来、固体メモリ素子を有するメモリカードを記録媒体として、静止画像や動画像を記録再生する電子カメラ等の画像処理装置は既に市販されており、カラー液晶パネル等の電子ファインダーを備える電子カメラも販売されている。
【０００３】
これらの電子カメラによれば、撮影前に使用者が撮影シーンによって適切な撮影モードを選択することが可能で、使用者の意図に沿った撮影を行うことが可能である。またカラー液晶パネル等のドットマトリクスを使用すれば、メニューなども自由に表示することが可能となるので、多数の撮影モードを備えることができ、撮影の幅が広がるので、電子カメラの使用者にとって有益な機能となっている。
【０００４】
【特許文献】
特開平５−１９１６８３号公報。
【０００５】
【発明が解決しようとする課題】
近年このような従来の電子カメラ等の画像処理装置においては、撮影モードが非常に多くなり、使用者が設定しようとする撮影モードがメニューの奥の方にあったりすると見つけ辛く、また設定するのに時間がかかってしまう。例えば日中の屋外で撮影するときは、風景モードやスポーツモードを使用することは多いが、夜景モードやホワイトバランスの蛍光灯モードを選択することはほとんどない。
【０００６】
このように便利である撮影モードが増えたことで、かえって使用者は設定し辛くなるような問題があった。
【０００７】
【課題を解決するための手段】
本発明に係る画像処理装置に於いては、第１に、撮像した静止画像及び或いは動画像を記録媒体に記録及び再生表示する画像処理装置であって、撮像手段と、制御手段と、表示手段と、時刻計測手段と、複数の撮影モードから１つを選択する撮影モード選択手段とを有し、撮影モードの選択は、表示手段に撮影モード選択メニューを表示して、撮影モードを選択させる画像処理装置において、前記制御手段は、時刻計測手段によって現在時刻を取得し、日中の時間帯であれば、表示手段に表示する撮影モード選択メニューに、日中に多用する撮影モードを夕方の時間帯であれば、表示手段に表示する撮影モード選択メニューに、夕方に多用する撮影モードを夜間の時間帯であれば、表示手段に表示する撮影モード選択メニューに、夜間に多用する撮影モードをメニューの一番最初に表示させることを特徴とする。
【０００８】
前記の日中に多用する撮影モードは風景モード、スポーツモード、ホワイトバランスモードの太陽光モード、曇りモードを含み、夕方に多用する撮影モードは夕焼けモードを含み、夜間に多用する撮影モードは夜景モード、スローシンクロモード、花火モードホワイトバランスの蛍光灯モード、電球モード、フラッシュモードを含んでいることを特徴とする。
【０００９】
第２に、撮像した静止画像及び或いは動画像を記録媒体に記録及び再生表示する画像処理装置であって、撮像手段と、制御手段と、表示手段と、測光手段と、複数の撮影モードから１つを選択する撮影モード選択手段とを有し、撮影モードの選択は、表示手段に撮影モード選択メニューを表示して、撮影モードを選択させる画像処理装置において、前記制御手段は、測光手段によって周辺輝度を取得し、輝度レベル所定値以上であれば、表示手段に表示する撮影モード選択メニューに、明るい場所で多用する撮影モードを輝度レベル所定値以下であれば、表示手段に表示する撮影モード選択メニューに、暗い場所で多用する撮影モードをメニューの一番最初に表示させることを特徴とする。
【００１０】
前記の明るい場所で多用する撮影モードは風景モード、スポーツモード、ホワイトバランスモードの太陽光モード、曇りモードを含み、暗いい場所で多用する撮影モードは夜景モード、スローシンクロモード、夕焼けモードホワイトバランスの蛍光灯モード、電球モード、フラッシュモードを含んでいることを特徴とする。
【００１１】
第３に、撮像した静止画像及び或いは動画像を記録媒体に記録及び再生表示する画像処理装置であって、撮像手段と、制御手段と、表示手段と、測位手段と、複数の撮影モードから１つを選択する撮影モード選択手段とを有し、撮影モードの選択は、表示手段に撮影モード選択メニューを表示して、撮影モードを選択させる画像処理装置において、前記制御手段は、測位手段の出力を検出し、測位可能であれば、表示手段に表示する撮影モード選択メニューに、屋外で多用する撮影モードを測位不能であれば、表示手段に表示する撮影モード選択メニューに、屋内で多用する撮影モードをメニューの一番最初に表示させることを特徴とする。
【００１２】
前記の屋外で多用する撮影モードは風景モード、スポーツモード、ホワイトバランスモードの太陽光モード、曇りモードを含み、屋内で多用する撮影モードはホワイトバランスモードの蛍光灯モード、電球モード、フラッシュモードを含んでいることを特徴とする。
【００１３】
第４に、撮像した静止画像及び或いは動画像を記録媒体に記録及び再生表示する画像処理装置であって、撮像手段と、制御手段と、表示手段と、日付計測手段と、複数の撮影モードから１つを選択する撮影モード選択手段とを有し、撮影モードの選択は、表示手段に撮影モード選択メニューを表示して、撮影モードを選択させる画像処理装置において、前記制御手段は、日付計測手段によって日付を取得し、春の季節であれば、表示手段に表示する撮影モード選択メニューに、春に多用する撮影モードを夏の季節であれば、表示手段に表示する撮影モード選択メニューに、夏に多用する撮影モードを秋の季節であれば、表示手段に表示する撮影モード選択メニューに、秋に多用する撮影モードを冬の季節であれば、表示手段に表示する撮影モード選択メニューに、冬に多用する撮影モードをメニューの一番最初に表示させることを特徴とする。
【００１４】
前記の春に多用する撮影モードは新緑モードを含み、夏に多用する撮影モードは砂浜モード、海辺モードを含み、秋に多用する撮影モードは紅葉モードを含み、冬に多用する撮影モードは雪景色モードを含んでいることを特徴とする。
【００１５】
第５に、撮像した静止画像及び或いは動画像を記録媒体に記録及び再生表示する画像処理装置であって、撮像手段と、制御手段と、表示手段と、温度計測手段と、複数の撮影モードから１つを選択する撮影モード選択手段とを有し、撮影モードの選択は、表示手段に撮影モード選択メニューを表示して、撮影モードを選択させる画像処理装置において、前記制御手段は、温度計測手段によって気温を取得し、気温が所定値以上であれば、表示手段に表示する撮影モード選択メニューに、暑い場所で多用する撮影モードを気温が所定値以下であれば、表示手段に表示する撮影モード選択メニューに、寒い場所で多用する撮影モードをメニューの一番最初に表示させることを特徴とする。
【００１６】
前記の暑い場所で多用する撮影モードは砂浜モード、海辺モードを含み、寒い場所で多用する撮影モードは雪景色モードを含んでいることを特徴とする。
【００１７】
第６に、撮像した静止画像及び或いは動画像を記録媒体に記録及び再生表示する画像処理装置であって、撮像手段と、制御手段と、表示手段と、通信手段と、測位手段と、複数の撮影モードから１つを選択する撮影モード選択手段とを有し、撮影モードの選択は、表示手段に撮影モード選択メニューを表示して、撮影モードを選択させる画像処理装置において、前記制御手段は、測位手段によって現在位置を取得し、通信手段によって現在位置の天候を取得して、天候が晴れであれば、表示手段に表示する撮影モード選択メニューに、天候が晴れの時に多用する撮影モードを天候が曇りであれば、表示手段に表示する撮影モード選択メニューに、天候が曇りの時に多用する撮影モードを天候が雪であれば、表示手段に表示する撮影モード選択メニューに、雪が曇りの時に多用する撮影モードをメニューの一番最初に表示させることを特徴とする。
【００１８】
前記の天候が晴れの時に多用する撮影モードはホワイトバランスモードの太陽光モードを含み、天候が曇りの時に多用する撮影モードはホワイトバランスモードの曇りモードを含み、天候が雪の時に多用する撮影モードは雪景色モードを含んでいることを特徴とする。
【００１９】
第７に、撮像した静止画像及び或いは動画像を記録媒体に記録及び再生表示する画像処理装置であって、撮像手段と、制御手段と、表示手段と、圧力検出手段と、複数の撮影モードから１つを選択する撮影モード選択手段とを有し、撮影モードの選択は、表示手段に撮影モード選択メニューを表示して、撮影モードを選択させる画像処理装置において、前記制御手段は、圧力検出手段からの出力を取得して、圧力が所定値以上であれば、表示手段に表示する撮影モード選択メニューに、水中で多用する撮影モードを圧力が所定値以下であれば、表示手段に表示する撮影モード選択メニューに、高所で多用する撮影モードをメニューの一番最初に表示させることを特徴とする。
【００２０】
前記の水中で多用する撮影モードはホワイトバランスモードの水中モード、フラッシュモードを含み、高所で多用する撮影モードはホワイトバランスモードの太陽光モード、曇りモードを含んでいることを特徴とする。
【００２１】
上記手段により、電子カメラが自動的に撮影シーンを判断して、よく使用される撮影モードをメニューの一番最初に表示させることで、使用者は設定したい撮影モードをすぐに見つけることができ、簡単に設定することが可能となる。またその撮影シーンではあまり使用されない撮影モードもメニューの最後に表示させることで、使用者が意図的に設定したい場合にも対応することが可能となる。
【００２２】
【発明の実施の形態】
以下、図面を参照して本発明の実施例を説明する。
【００２３】
図１は、本発明の実施例の構成を示す図である。
【００２４】
図１において、１００は画像処理装置である。
【００２５】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００２６】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００２７】
２０は画像処理回路であり、Ａ／Ｄ変換器１６からのデータ或いはメモリ制御回路２２からのデータに対して所定の画素補間処理や色変換処理を行う。
【００２８】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００２９】
さらに、画像処理回路２０においては、撮像した画像データを用いて所定の演算処理を行い、得られた演算結果に基づいてＴＴＬ方式のＡＷＢ（オートホワイトバランス）処理も行っている。
【００３０】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００３１】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００３２】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００３３】
画像表示部２８を用いて撮像した画像データを逐次表示すれば、電子ファインダー機能を実現することが可能である。
【００３４】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００３５】
３０は撮影した静止画像や動画像を格納するためのメモリであり、所定枚数の静止画像や所定時間の動画像を格納するのに十分な記憶量を備えている。
【００３６】
これにより、複数枚の静止画像を連続して撮影する連射撮影やパノラマ撮影の場合にも、高速かつ大量の画像書き込みをメモリ３０に対して行うことが可能となる。
【００３７】
また、メモリ３０はシステム制御回路５０の作業領域としても使用することが可能である。
【００３８】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３９】
４０は絞り機能を備えるシャッター１２を制御する露光制御手段であり、フラッシュ４８と連携することによりフラッシュ調光機能も有するものである。
【００４０】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００４１】
４８はフラッシュであり、ＡＦ補助光の投光機能、フラッシュ調光機能も有する。
【００４２】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００４３】
５０は画像処理装置１００全体を制御するシステム制御回路、５２はシステム制御回路５０の動作用の定数、変数、プログラム等を記憶するメモリである。
【００４４】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００４５】
また、表示部５４は、その一部の機能が光学ファインダー１０４内に設置されている。
【００４６】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００４７】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００４８】
５６は電気的に消去・記録可能な不揮発性メモリであり、例えばＥＥＰＲＯＭ等が用いられる。
【００４９】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００５０】
ここで、これらの操作手段の具体的な説明を行う。
【００５１】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００５２】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００５３】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００５４】
６６は画像表示ＯＮ／ＯＦＦスイッチで、画像表示部２８のＯＮ／ＯＦＦを設定することが出来る。
【００５５】
この機能により、光学ファインダー１０４を用いて撮影を行う際に、ＴＦＴ  ＬＣＤ等から成る画像表示部への電流供給を遮断することにより、省電力を図ることが可能となる。
【００５６】
６８は撮影モード選択スイッチで、使用者は撮影シーンに応じて、表示部５４に表示される撮影モードの一覧から撮影モードを選択する。
【００５７】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００５８】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５９】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００６０】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００６１】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００６２】
インターフェース及びコネクタとしては、ＰＣＭＣＩＡカードやＣＦ（コンパクトフラッシュ（Ｒ））カード等の規格に準拠したものを用いて構成して構わない。
【００６３】
さらに、インタフェース９０及び９４、そしてコネクタ９２及び９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００６４】
１０２は、画像処理装置１００のレンズ１０を含む撮像部を覆う事により、撮像部の汚れや破損を防止するバリアである保護手段である。
【００６５】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００６６】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００６７】
１１２は通信手段１１０により画像処理装置１００を他の機器と接続するコネクタ或いは無線通信の場合はアンテナである。
【００６８】
２００はメモリカードやハードディスク等の記録媒体である。
【００６９】
記録媒体２００は、半導体メモリや磁気ディスク等から構成される記録部２０２、画像処理装置１００とのインタフェース２０４、画像処理装置１００と接続を行うコネクタ２０６を備えている。
【００７０】
３０１は時刻・日付を出力する時計である。３０２はＧＰＳ測位装置で衛星等の電波を使用してカメラの現在位置を取得することができる。３０３は温度計でカメラ周辺の気温を計測することができる。３０４は圧力計でカメラ周辺の圧力を計測することができる。
【００７１】
本発明は時計３０１、測位手段３０２、温度計３０３、圧力計３０４、通信手段１１０、撮像素子１４からの出力をＡ／Ｄ変換器１６により符号化したデータのいずれか１つ以上をもとに、撮影シーンを推定し、複数の撮影モード選択メニューをソートして、より多用されるモードを一番最初に表示することを特徴とする。
【００７２】
図２乃至図６を参照して、第１の実施例の動作を説明する。
図２及び図３は本実施例の画像処理装置１００の主ルーチンのフローチャートを示す。
【００７３】
図２及び図３を用いて、画像処理装置１００の動作を説明する。
【００７４】
電池交換等の電源投入により、システム制御回路５０はフラグや制御変数等を初期化し（Ｓ１０１）、画像表示部２８の画像表示をＯＦＦ状態に初期設定する（Ｓ１０２）。
【００７５】
システム制御回路５０は、モードダイアル６０の設定位置を判断し、モードダイアル６０が電源ＯＦＦに設定されていたならば（Ｓ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１０５）、Ｓ１０３に戻る。
【００７６】
モードダイアル６０が撮影モードに設定されていたならば（Ｓ１０３）、Ｓ１０６に進む。
【００７７】
モードダイアル６０がその他のモードに設定されていたならば（Ｓ１０３）、システム制御回路５０は選択されたモードに応じた処理を実行し（Ｓ１０４）、処理を終えたならばＳ１０３に戻る。
【００７８】
システム制御回路５０は、電源制御手段８０により電池等により構成される電源８６の残容量や動作情況が画像処理装置１００の動作に問題があるか否かを判断し（Ｓ１０６）、問題があるならば表示部５４を用いて画像や音声により所定の警告表示を行った後に（Ｓ１０８）、Ｓ１０３に戻る。
【００７９】
電源８６に問題が無いならば（Ｓ１０６）、システム制御回路５０は記録媒体２００或いは２１０の動作状態が画像処理装置１００の動作、特に記録媒体に対する画像データの記録再生動作に問題があるか否かを判断し（Ｓ１０７）、問題があるならば表示部５４を用いて画像や音声により所定の警告表示を行った後に（Ｓ１０８）、Ｓ１０３に戻る。
【００８０】
記録媒体２００或いは２１０の動作状態に問題が無いならば（Ｓ１０７）、表示部５４を用いて画像や音声により画像処理装置１００の各種設定状態の表示を行う（Ｓ１０９）。なお、画像表示部２８の画像表示がＯＮであったならば、画像表示部２８も用いて画像や音声により画像処理装置１００の各種設定状態の表示を行う。
【００８１】
続いて、システム制御回路５０は、画像表示ＯＮ／ＯＦＦスイッチ６６の設定状態を調べ（Ｓ１１３）、画像表示ＯＮに設定されていたならば、画像表示フラグを設定すると共に（Ｓ１１４）、画像表示部２８の画像表示をＯＮ状態に設定し（Ｓ１１５）、さらに撮像した画像データを逐次表示するスルー表示状態に設定して（Ｓ１１６）、Ｓ１１９に進む。
【００８２】
スルー表示状態に於いては、撮像素子１２、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【００８３】
画像表示ＯＮ／ＯＦＦスイッチ６６が画像表示ＯＦＦに設定されていたならば（Ｓ１１３）、画像表示フラグを解除すると共に（Ｓ１１７）、画像表示部２８の画像表示をＯＦＦ状態に設定して（Ｓ１１８）、Ｓ１１９に進む。
【００８４】
なお、画像表示フラグの状態は、システム制御回路５０の内部メモリ或いはメモリ５２に記憶する。
【００８５】
またシステム制御回路５０は撮影モード選択スイッチ６８が押されているかを判定し、押されていたなら、撮影モード選択メニュー処理（Ｓ１４３）に入る．。
【００８６】
この撮影モード選択メニュー処理Ｓ１４３の詳細は図７を用いて後述する。
【００８７】
シャッタースイッチＳＷ１が押されていないならば（Ｓ１１９）、Ｓ１０３に戻る。
【００８８】
シャッタースイッチＳＷ１が押されたならば（Ｓ１１９）、システム制御回路５０はシステム制御回路５０の内部メモリ或いはメモリ５２に記憶される画像表示フラグの状態を判断し（Ｓ１２０）、画像表示フラグが設定されていたならば画像表示部２８の表示状態をフリーズ表示状態に設定して（Ｓ１２１）、Ｓ１２２に進む。
【００８９】
フリーズ表示状態に於いては、撮像素子１２、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。
【００９０】
画像表示フラグが解除されていたならば（Ｓ１２０）、Ｓ１２２に進む。
【００９１】
システム制御回路５０は、測距処理を行って撮影レンズ１０の焦点を被写体に合わせ、測光処理を行って絞り値及びシャッター時間を決定する（Ｓ１２２）。測光処理に於いて、必要であればフラッシュの設定も行う。
【００９２】
この測距・測光処理Ｓ１２２の詳細は図４を用いて後述する。
【００９３】
測距・測光処理Ｓ１２２を終えたならば、システム制御回路５０はシステム制御回路５０の内部メモリ或いはメモリ５２に記憶される画像表示フラグの状態を判断し（Ｓ１２３）、画像表示フラグが設定されていたならば画像表示部２８の表示状態をスルー表示状態に設定して（Ｓ１２４）、Ｓ１２５に進む。なお、Ｓ１２４でのスルー表示状態は、Ｓ１１６でのスルー状態と同じ動作状態である。
【００９４】
シャッタースイッチＳＷ２が押されずに（Ｓ１２５）、さらにシャッタースイッチＳＷ１も解除されたならば（Ｓ１２６）、Ｓ１０３に戻る。
【００９５】
シャッタースイッチＳＷ２が押されたならば（Ｓ１２５）、システム制御回路５０はシステム制御回路５０の内部メモリ或いはメモリ５２に記憶される画像表示フラグの状態を判断し（Ｓ１２７）、画像表示フラグが設定されていたならば画像表示部２８の表示状態を固定色表示状態に設定して（Ｓ１２８）、Ｓ１２９に進む。
【００９６】
固定色表示状態に於いては、撮像素子１２、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【００９７】
画像表示フラグが解除されていたならば（Ｓ１２７）、Ｓ１２９に進む。
【００９８】
システム制御回路５０は、撮像素子１２、Ａ／Ｄ変換器１６、、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１２９）。
【００９９】
この撮影処理Ｓ１２９の詳細は図５を用いて後述する。
【０１００】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行った後、記録媒体２００或いは２１０へ画像データの書き込みを行う記録処理を実行する（Ｓ１３４）。
【０１０１】
この記録処理Ｓ１３４の詳細は図６を用いて後述する。
【０１０２】
記録処理Ｓ１３４が終了した際に、シャッタースイッチＳＷ２が押された状態であったならば（Ｓ１３５）、システム制御回路５０はシステム制御回路５０の内部メモリ或いはメモリ５２に記憶される連写フラグの状態を判断し（Ｓ１３６）、連写フラグが設定されていたならば、連続して撮影を行うためにＳ１２９に戻り、次の撮影を行う。
【０１０３】
連写フラグが設定されていないならば（Ｓ１３６）、シャッタースイッチＳＷ２が放されるまで（Ｓ１３５）、現在の処理を繰り返す。
【０１０４】
システム制御回路５０は、画像表示フラグが設定されていたならば（Ｓ１３８）、画像表示部２８の表示状態をスルー表示状態に設定して（Ｓ１３９）、Ｓ１４１に進む。
【０１０５】
この場合、画像表示部２８でのクイックレビュー表示によって撮影画像を確認した後に、次の撮影のために撮像した画像データを逐次表示するスルー表示状態にすることが出来る。
【０１０６】
画像表示フラグが解除されていたならば（Ｓ１３８）、画像表示部２８の画像表示をＯＦＦ状態に設定して（Ｓ１４０）、Ｓ１４１に進む。
【０１０７】
この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【０１０８】
シャッタースイッチＳＷ１が押された状態であったならば（Ｓ１４１）、システム制御回路５０は、Ｓ１２５に戻って次の撮影に備える。
【０１０９】
シャッタースイッチＳＷ１が放された状態であったならば（Ｓ１４１）、システム制御回路５０は、一連の撮影動作を終えてＳ１０３に戻る。
【０１１０】
図４は、図３のＳ１２２における測距・測光処理の詳細なフローチャートを示す。
【０１１１】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【０１１２】
なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０１１３】
画像処理回路２０での演算結果を用いて、システム制御回路５０は露出（ＡＥ）が適正と判断されるまで（Ｓ２０２）、露光制御手段４０を用いてＡＥ制御を行う（Ｓ２０３）。
【０１１４】
ＡＥ制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。
【０１１５】
露出（ＡＥ）が適正と判断したならば（Ｓ２０２）、測定データ及び或いは設定パラメータをシステム制御回路５０の内部メモリ或いはメモリ５２に記憶する。
【０１１６】
画像処理回路２０での演算結果及びＡＥ制御で得られた測定データを用いて、システム制御回路５０はホワイトバランス（ＡＷＢ）が適正と判断されるまで（Ｓ２０６）、画像処理回路２０を用いて色処理のパラメータを調節してＡＷＢ制御を行う（Ｓ２０７）。
【０１１７】
ホワイトバランス（ＡＷＢ）が適正と判断したならば（Ｓ２０６）、測定データ及び或いは設定パラメータをシステム制御回路５０の内部メモリ或いはメモリ５２に記憶する。
【０１１８】
ＡＥ制御及びＡＷＢ制御で得られた測定データを用いて、システム制御回路５０は測距（ＡＦ）が合焦と判断されるまで（Ｓ２０８）、測距制御手段４２を用いてＡＦ制御を行う（Ｓ２０９）。
【０１１９】
測距（ＡＦ）が合焦と判断したならば（Ｓ２０８）、測定データ及び或いは設定パラメータをシステム制御回路５０の内部メモリ或いはメモリ５２に記憶し、測距・測光処理ルーチンＳ１２２を終了する。
【０１２０】
図５は、図３のＳ１２９における撮影処理の詳細なフローチャートを示す。
【０１２１】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１０を露光する（Ｓ３０１、Ｓ３０２）。
【０１２２】
フラッシュ・フラグによりフラッシュ４８が必要か否かを判断し（Ｓ３０３）、必要な場合はフラッシュを発光させる（Ｓ３０４）。
【０１２３】
システム制御回路５０は、測光データに従って撮像素子１２の露光終了を待ち（Ｓ３０５）、シャッター１２を閉じて（Ｓ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（Ｓ３０７）。
【０１２４】
設定された撮影モードに応じて、フレーム処理を行う必要があるならば（Ｓ３０８）、システム制御回路５０は、メモリ制御回路２２そして必要に応じて画像処理回路２０を用いて、メモリ３０に書き込まれた画像データを読み出して垂直加算処理や（Ｓ３０９）、色処理（Ｓ３１０）を順次行った後、メモリ３０に処理を終えた画像データを書き込む。
【０１２５】
システム制御回路５０は、メモリ３０から画像データを読み出し、メモリ制御回路２２を介して画像表示メモリ２４に表示画像データの転送を行う（Ｓ３１１）。
【０１２６】
一連の処理を終えたならば、撮影処理ルーチンＳ１２９を終了する。
【０１２７】
図６は、図３のＳ１３４における記録処理の詳細なフローチャートを示す。
【０１２８】
システム制御回路５０は、メモリ制御回路２２そして必要に応じて画像処理回路２０を用いて、メモリ３０に書き込まれた撮影画像データを読み出して撮像素子の縦横画素比率を１：１に補間する画素正方化処理を行った後（Ｓ４０１）、メモリ３０に処理を終えた画像データを書き込む。
【０１２９】
そして、メモリ３０に書き込まれた画像データを読み出して、設定したモードに応じた画像圧縮処理を圧縮・伸長回路３２により行った後（Ｓ４０２）、インタフェース９０或いは９４、コネクタ９２或いは９６を介して、メモリカードやコンパクトフラッシュ（Ｒ）カード等の記録媒体２００或いは２１０へ圧縮した画像データの書き込みを行う（Ｓ４０３）。
【０１３０】
記録媒体への書き込みが終わったならば、記録処理ルーチンＳ１３４を終了する。
【０１３１】
図７は、図２のＳ１４２における撮影モード選択処理の詳細なフローチャートを示す。
【０１３２】
まず時計３０１を使用して、時刻によるシーン判別を行ったときの例を示す。
【０１３３】
システム制御回路５０は、時計３０１の時刻の出力を得て（Ｓ５０１）、現在が日中か、夕方か、夜間かを判別する（Ｓ５０２）。
【０１３４】
時間帯が日中と判断されたなら、Ｓ５０３のメニューソートは日中に多用される撮影モードである風景モード、スポーツモードを一番最初に持ってきて（図８−２）、残りのモードは通常どおりの並び順にされる。同様にホワイトバランスモードも日中に多用される太陽光モード、曇りモード（図１１−２）を一番最初に持ってきて、残りのモードは通常どおりの並び順にされる。
【０１３５】
このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０１３６】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０１３７】
使用者が撮影モードの決定を行わずに、さらにメニュー表示操作を行うと、再度撮影モード選択メニュー表示ＳＳ５０４に戻る。
【０１３８】
図中のＯがついたモードが多用される最初に持ってくるモードである。
【０１３９】
時間帯が夕方と判断されたなら、Ｓ５０３のメニューソートは夕方に多用される撮影モードである夕焼けモード（図８−３）を一番最初に持ってきて、残りのモードは通常どおりの並び順にされる。
【０１４０】
このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０１４１】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０１４２】
使用者が撮影モードの決定を行わずに、さらにメニュー表示操作を行うと、再度撮影モード選択メニュー表示ＳＳ５０４に戻る。
【０１４３】
時間帯が夜間と判断されたなら、Ｓ５０３のメニューソートは夜間に多用される撮影モードである夜景モード、スローシンクロモード、花火モード（図８−４）を一番最初に持ってきて、残りのモードは通常どおりの並び順にされる。同様にホワイトバランスモードも夜間に多用される蛍光灯モード、電球モード、フラッシュモード（図１１−３）を一番最初に持ってきて、残りのモードは通常どおりの並び順にされる。
【０１４４】
このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０１４５】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０１４６】
使用者が撮影モードの決定を行わずに、さらにメニュー表示操作を行うと、再度撮影モード選択メニュー表示ＳＳ５０４に戻る。
【０１４７】
次にＡ／Ｄ変換器１６を使用して、周辺輝度によるシーン判別を行ったときの例を示す。
【０１４８】
システム制御回路５０は、Ａ／Ｄ変換器１６の映像信号出力を周辺輝度として得て（Ｓ５０１）、輝度レベルが所定値以上であれば周辺輝度は高輝度であると判断し、輝度レベルが所定値以下であれば、周辺輝度は低輝度であると判断する。
【０１４９】
周辺輝度が高輝度と判断されたなら、Ｓ５０３のメニューソートは高輝度に多用される撮影モードである風景モード、スポーツモード（図８−５）を一番最初に持ってきて、残りのモードは通常どおりの並び順にされる。同様にホワイトバランスモードも高輝度に多用される太陽光モード、曇りモード（図１１−４）を一番最初に持ってきて、残りのモードは通常どおりの並び順にされる。
【０１５０】
このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０１５１】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０１５２】
使用者が撮影モードの決定を行わずに、さらにメニュー表示操作を行うと、再度撮影モード選択メニュー表示ＳＳ５０４に戻る。
【０１５３】
周辺輝度が低輝度と判断されたなら、Ｓ５０３のメニューソートは低輝度時に多用される撮影モードである夜景モード、スローシンクロモード、花火モード（図８−６）を一番最初に持ってきて、残りのモードは通常どおりの並び順にされる。同様にホワイトバランスモードも低輝度時に多用される蛍光灯モード、電球モード、フラッシュモード（図１１−５）を一番最初に持ってきて、残りのモードは通常どおりの並び順にされる。
【０１５４】
このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０１５５】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０１５６】
使用者が撮影モードの決定を行わずに、さらにメニュー表示操作を行うと、再度撮影モード選択メニュー表示ＳＳ５０４に戻る。
【０１５７】
次に測位手段３０２を使用して、測位可能／不能によるシーン判別を行ったときの例を示す。
【０１５８】
システム制御回路５０は、測位手段３０２の出力を検出し（Ｓ５０１）、測位可能であれば屋外であると判断し、測位不能であれば屋内であると判断する。
【０１５９】
屋外と判断されたなら、Ｓ５０３のメニューソートは屋外で多用される撮影モードである風景モード、スポーツモード（図９−１）を一番最初に持ってきて、残りのモードは通常どおりの並び順にされる。同様にホワイトバランスモードも屋外で多用される太陽光モード、曇りモード（図１２−１）を一番最初に持ってきて、残りのモードは通常どおりの並び順にされる。
【０１６０】
このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０１６１】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０１６２】
使用者が撮影モードの決定を行わずに、さらにメニュー表示操作を行うと、再度撮影モード選択メニュー表示ＳＳ５０４に戻る。
【０１６３】
屋内と判断されたなら、Ｓ５０３のメニューソートは屋内で多用される撮影モードである夜景モード、スローシンクロモード、花火モード（図９−２）を一番最初に持ってきて、残りのモードは通常どおりの並び順にされる。同様にホワイトバランスモードも屋内で多用される蛍光灯モード、電球モード、フラッシュモード（図１２−２）を一番最初に持ってきて、残りのモードは通常どおりの並び順にされる。
【０１６４】
このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０１６５】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０１６６】
使用者が撮影モードの決定を行わずに、さらにメニュー表示操作を行うと、再度撮影モード選択メニュー表示ＳＳ５０４に戻る。
【０１６７】
次に時計３０１を使用して、季節によるシーン判別を行ったときの例を示す。
【０１６８】
システム制御回路５０は、時計３０１の時刻の出力を得て（Ｓ５０１）、現在の季節を判別する（Ｓ５０２）。
【０１６９】
季節が春と判断されたなら、Ｓ５０３のメニューソートは春に多用される撮影モードである新緑モードを一番最初に持ってきて（図９−３）、残りのモードは通常どおりの並び順にされる。このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０１７０】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０１７１】
使用者が撮影モードの決定を行わずに、さらにメニュー表示操作を行うと、再度撮影モード選択メニュー表示ＳＳ５０４に戻る。
【０１７２】
季節が夏と判断されたなら、Ｓ５０３のメニューソートは夏に多用される撮影モードである砂浜モード、海辺モードを一番最初に持ってきて（図９−４）、残りのモードは通常どおりの並び順にされる。このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０１７３】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０１７４】
使用者が撮影モードの決定を行わずに、さらにメニュー表示操作を行うと、再度撮影モード選択メニュー表示ＳＳ５０４に戻る。
【０１７５】
季節が秋と判断されたなら、Ｓ５０３のメニューソートは秋に多用される撮影モードである紅葉モードを一番最初に持ってきて（図９−５）、残りのモードは通常どおりの並び順にされる。このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０１７６】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０１７７】
使用者が撮影モードの決定を行わずに、さらにメニュー表示操作を行うと、再度撮影モード選択メニュー表示ＳＳ５０４に戻る。
【０１７８】
季節が冬と判断されたなら、Ｓ５０３のメニューソートは冬に多用される撮影モードである雪景色モードを一番最初に持ってきて（図９−６）、残りのモードは通常どおりの並び順にされる。このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０１７９】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０１８０】
使用者が撮影モードの決定を行わずに、さらにメニュー表示操作を行うと、再度撮影モード選択メニュー表示ＳＳ５０４に戻る。
【０１８１】
次に温度計３０３を使用して、周辺気温によるシーン判別を行ったときの例を示す。
【０１８２】
システム制御回路５０は、温度計３０３の出力を周辺気温として得て（Ｓ５０１）、温度レベルが所定値以上であれば周辺気温は高温であると判断し、輝度レベルが所定値以下であれば、周辺輝度は低温であると判断する。
【０１８３】
周辺輝度が高温と判断されたなら、Ｓ５０３のメニューソートは高温時に多用される撮影モードである砂浜モード、海辺モード（図１０−１）を一番最初に持ってきて、残りのモードは通常どおりの並び順にされる。
【０１８４】
このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０１８５】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０１８６】
使用者が撮影モードの決定を行わずに、さらにメニュー表示操作を行うと、再度撮影モード選択メニュー表示ＳＳ５０４に戻る。
【０１８７】
周辺輝度が低温と判断されたなら、Ｓ５０３のメニューソートは低温時に多用される撮影モードである雪景色モード（図１０−２）を一番最初に持ってきて、残りのモードは通常どおりの並び順にされる。
【０１８８】
このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０１８９】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０１９０】
使用者が撮影モードの決定を行わずに、さらにメニュー表示操作を行うと、再度撮影モード選択メニュー表示ＳＳ５０４に戻る。
【０１９１】
次に測位手段３０２と通信手段１０を使用して、天気によるシーン判別を行ったときの例を示す。
【０１９２】
システム制御回路５０は、測位手段３０３の出力から現在位置を得て、通信手段１１０を通じて、気象データサーバーに現在位置を通知して、現在位置での天気情報を得る。
【０１９３】
天気が晴天と判断されたなら、Ｓ５０３のメニューソートは晴天時に多用されるホワイトバランスモードである太陽光モード（図１２−２）を一番最初に持ってきて、残りのモードは通常どおりの並び順にされる。
【０１９４】
このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０１９５】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０１９６】
使用者が撮影モードの決定を行わずに、さらにメニュー表示操作を行うと、再度撮影モード選択メニュー表示ＳＳ５０４に戻る。
【０１９７】
天気が曇りと判断されたなら、Ｓ５０３のメニューソートは曇り時に多用されるホワイトバランスモードである曇りモード（図１２−２）を一番最初に持ってきて、残りのモードは通常どおりの並び順にされる。
【０１９８】
このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０１９９】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０２００】
使用者が撮影モードの決定を行わずに、さらにメニュー表示操作を行うと、再度撮影モード選択メニュー表示ＳＳ５０４に戻る。
【０２０１】
天気が雪と判断されたなら、Ｓ５０３のメニューソートは降雪時に多用される撮影モードである雪景色モード（図１０−３）を一番最初に持ってきて、残りのモードは通常どおりの並び順にされる。
【０２０２】
このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０２０３】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０２０４】
使用者が撮影モードの決定を行わずに、さらにメニュー表示操作を行うと、再度撮影モード選択メニュー表示ＳＳ５０４に戻る。
【０２０５】
次に圧力計３０４を使用して、周辺圧力によるシーン判別を行ったときの例を示す。
【０２０６】
システム制御回路５０は、圧力計３０４の出力を周辺圧力として得て（Ｓ５０１）、圧力レベルが所定値以上であれば水中であると判断し、圧力レベルが所定値以下であれば高所であると判断する。
【０２０７】
水中と判断されたなら、Ｓ５０３のメニューソートは水中で多用されるホワイトバランスモードである水中モード、フラッシュモード（図１２−５）を一番最初に持ってきて、残りのモードは通常どおりの並び順にされる。
【０２０８】
このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０２０９】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０２１０】
使用者が撮影モードの決定を行わずに、さらにメニュー表示操作を行うと、再度撮影モード選択メニュー表示ＳＳ５０４に戻る。
【０２１１】
高所と判断されたなら、Ｓ５０３のメニューソートは高所で多用されるホワイトバランスモードである太陽光モード、曇りモード（図１２−５）を一番最初に持ってきて、残りのモードは通常どおりの並び順にされる。
【０２１２】
このソートされた撮影モードを一覧表示させ（Ｓ５０４）、使用者が決定すれば、選択された撮影モードをシステム制御回路５０の内部メモリ或いはメモリ５２に記憶し、メニュー選択処理を終了する（Ｓ５０５）。
【０２１３】
使用者が撮影モードの決定を行わずに、さらにメニュー表示操作を行うと、ホワイトバランスモードを一覧表示させ（Ｓ５０６）、使用者が決定すれば、選択された撮影モードをシステム制御回路５０の内部メモリ或いはメモリ５２に記憶し、メニュー選択処理を終了する（Ｓ５０７）。
【０２１４】
使用者が撮影モードの決定を行わずに、さらにメニュー表示操作を行うと、再度撮影モード選択メニュー表示ＳＳ５０４に戻る。
【０２１５】
以上、図１を用いて本発明の実施例の説明を行った。
【０２１６】
このように本発明によれば、画像処理装置が撮影シーンを自動的に判断して、そのシーンで多用される撮影モードを、モード選択メニューの最初に持ってくることで使用者は撮影シーンにあった撮影モードを数少ない動作で設定することができる。
【０２１７】
なお、実施例の説明においては撮影シーン判別は別々に書いたが、これらの組み合わせを使用してシーン判別を行ってもよい。
【０２１８】
また、多用する撮影モードは使用者が自由に設定できるようにしてもよい。
【０２１９】
また本実施例では、多用される撮影モード以外の撮影モードは後ろに配置されるようにしたが、表示自体をしなくてもよいし、メニューの階層を分けて、より深い階層のメニューに配置されるようにしてもよい。
【０２２０】
【発明の効果】
以上の説明から容易に理解できるように、本発明によれば、第１に、撮像した静止画像及び或いは動画像を記録媒体に記録及び再生表示する画像処理装置であって、撮像手段と、制御手段と、表示手段と、時刻計測手段と、複数の撮影モードから１つを選択する撮影モード選択手段とを有し、撮影モードの選択は、表示手段に撮影モード選択メニューを表示して、撮影モードを選択させる画像処理装置において、前記制御手段は、時刻計測手段によって現在時刻を取得し、日中の時間帯であれば、表示手段に表示する撮影モード選択メニューに、日中に多用する撮影モードを夕方の時間帯であれば、表示手段に表示する撮影モード選択メニューに、夕方に多用する撮影モードを夜間の時間帯であれば、表示手段に表示する撮影モード選択メニューに、夜間に多用する撮影モードをメニューの一番最初に表示させ、前記の日中に多用する撮影モードは風景モード、スポーツモード、ホワイトバランスモードの太陽光モード、曇りモードを含み、夕方に多用する撮影モードは夕焼けモードを含み、夜間に多用する撮影モードは夜景モード、スローシンクロモード、花火モードホワイトバランスの蛍光灯モード、電球モード、フラッシュモードを含んでいることを特徴とする画像処理装置をを提供することが可能となる。
【０２２１】
第２に、撮像した静止画像及び或いは動画像を記録媒体に記録及び再生表示する画像処理装置であって、撮像手段と、制御手段と、表示手段と、測光手段と、複数の撮影モードから１つを選択する撮影モード選択手段とを有し、撮影モードの選択は、表示手段に撮影モード選択メニューを表示して、撮影モードを選択させる画像処理装置において、前記制御手段は、測光手段によって周辺輝度を取得し、輝度レベル所定値以上であれば、表示手段に表示する撮影モード選択メニューに、明るい場所で多用する撮影モードを輝度レベル所定値以下であれば、表示手段に表示する撮影モード選択メニューに、暗い場所で多用する撮影モードをメニューの一番最初に表示させ、前記の明るい場所で多用する撮影モードは風景モード、スポーツモード、ホワイトバランスモードの太陽光モード、曇りモードを含み、暗いい場所で多用する撮影モードは夜景モード、スローシンクロモード、夕焼けモードホワイトバランスの蛍光灯モード、電球モード、フラッシュモードを含んでいることを特徴とする画像処理装置をを提供することが可能となる。
【０２２２】
第３に、撮像した静止画像及び或いは動画像を記録媒体に記録及び再生表示する画像処理装置であって、撮像手段と、制御手段と、表示手段と、測位手段と、複数の撮影モードから１つを選択する撮影モード選択手段とを有し、撮影モードの選択は、表示手段に撮影モード選択メニューを表示して、撮影モードを選択させる画像処理装置において、前記制御手段は、測位手段の出力を検出し、測位可能であれば、表示手段に表示する撮影モード選択メニューに、屋外で多用する撮影モードを測位不能であれば、表示手段に表示する撮影モード選択メニューに、屋内で多用する撮影モードをメニューの一番最初に表示させ、前記の屋外で多用する撮影モードは風景モード、スポーツモード、ホワイトバランスモードの太陽光モード、曇りモードを含み、屋内で多用する撮影モードはホワイトバランスモードの蛍光灯モード、電球モード、フラッシュモードを含んでいることを特徴とする画像処理装置をを提供することが可能となる。
【０２２３】
第４に、撮像した静止画像及び或いは動画像を記録媒体に記録及び再生表示する画像処理装置であって、撮像手段と、制御手段と、表示手段と、日付計測手段と、複数の撮影モードから１つを選択する撮影モード選択手段とを有し、撮影モードの選択は、表示手段に撮影モード選択メニューを表示して、撮影モードを選択させる画像処理装置において、前記制御手段は、日付計測手段によって日付を取得し、春の季節であれば、表示手段に表示する撮影モード選択メニューに、春に多用する撮影モードを夏の季節であれば、表示手段に表示する撮影モード選択メニューに、夏に多用する撮影モードを秋の季節であれば、表示手段に表示する撮影モード選択メニューに、秋に多用する撮影モードを冬の季節であれば、表示手段に表示する撮影モード選択メニューに、冬に多用する撮影モードをメニューの一番最初に表示させ、前記の春に多用する撮影モードは新緑モードを含み、夏に多用する撮影モードは砂浜モード、海辺モードを含み、秋に多用する撮影モードは紅葉モードを含み、冬に多用する撮影モードは雪景色モードを含んでいることを特徴とする画像処理装置をを提供することが可能となる。
【０２２４】
第５に、撮像した静止画像及び或いは動画像を記録媒体に記録及び再生表示する画像処理装置であって、撮像手段と、制御手段と、表示手段と、温度計測手段と、複数の撮影モードから１つを選択する撮影モード選択手段とを有し、撮影モードの選択は、表示手段に撮影モード選択メニューを表示して、撮影モードを選択させる画像処理装置において、前記制御手段は、温度計測手段によって気温を取得し、気温が所定値以上であれば、表示手段に表示する撮影モード選択メニューに、暑い場所で多用する撮影モードを気温が所定値以下であれば、表示手段に表示する撮影モード選択メニューに、寒い場所で多用する撮影モードをメニューの一番最初に表示させ、前記の暑い場所で多用する撮影モードは砂浜モード、海辺モードを含み、寒い場所で多用する撮影モードは雪景色モードを含んでいることを特徴とする画像処理装置をを提供することが可能となる。
【０２２５】
第６に、撮像した静止画像及び或いは動画像を記録媒体に記録及び再生表示する画像処理装置であって、撮像手段と、制御手段と、表示手段と、通信手段と、測位手段と、複数の撮影モードから１つを選択する撮影モード選択手段とを有し、撮影モードの選択は、表示手段に撮影モード選択メニューを表示して、撮影モードを選択させる画像処理装置において、前記制御手段は、測位手段によって現在位置を取得し、通信手段によって現在位置の天候を取得して、天候が晴れであれば、表示手段に表示する撮影モード選択メニューに、天候が晴れの時に多用する撮影モードを天候が曇りであれば、表示手段に表示する撮影モード選択メニューに、天候が曇りの時に多用する撮影モードを天候が雪であれば、表示手段に表示する撮影モード選択メニューに、雪が曇りの時に多用する撮影モードをメニューの一番最初に表示させ、前記の天候が晴れの時に多用する撮影モードはホワイトバランスモードの太陽光モードを含み、天候が曇りの時に多用する撮影モードはホワイトバランスモードの曇りモードを含み、天候が雪の時に多用する撮影モードは雪景色モードを含んでいることを特徴とする画像処理装置をを提供することが可能となる。
【０２２６】
第７に、撮像した静止画像及び或いは動画像を記録媒体に記録及び再生表示する画像処理装置であって、撮像手段と、制御手段と、表示手段と、圧力検出手段と、複数の撮影モードから１つを選択する撮影モード選択手段とを有し、撮影モードの選択は、表示手段に撮影モード選択メニューを表示して、撮影モードを選択させる画像処理装置において、前記制御手段は、圧力検出手段からの出力を取得して、圧力が所定値以上であれば、表示手段に表示する撮影モード選択メニューに、水中で多用する撮影モードを圧力が所定値以下であれば、表示手段に表示する撮影モード選択メニューに、高所で多用する撮影モードをメニューの一番最初に表示させ、前記の水中で多用する撮影モードはホワイトバランスモードの水中モード、フラッシュモードを含み、高所で多用する撮影モードはホワイトバランスモードの太陽光モード、曇りモードを含んでいることを特徴とする画像処理装置をを提供することが可能となる。
【０２２７】
上記手段により、電子カメラが自動的に撮影シーンを判断して、よく使用される撮影モードをメニューの一番最初に表示させることで、使用者は設定したい撮影モードをすぐに見つけることができ、簡単に設定することが可能となる。またその撮影シーンではあまり使用されない撮影モードもメニューの最後に表示させることで、使用者が意図的に設定したい場合にも対応することが可能となる。
【図面の簡単な説明】
【図１】本発明の一実施例の構成ブロック図である。
【図２】本実施例の主ルーチンのフローチャートの一部である。
【図３】本実施例の主ルーチンのフローチャートの一部である。
【図４】本実施例の測距・測光ルーチンのフローチャートである。
【図５】本実施例の撮影ルーチンのフローチャートである。
【図６】本実施例の記録ルーチンのフローチャートである。
【図７】本実施例のメニュー選択処理ルーチンのフローチャートである。
【図８】本実施例のメニュー表示順番である。
【図９】本実施例のメニュー表示順番である。
【図１０】本実施例のメニュー表示順番である。
【図１１】本実施例のメニュー表示順番である。
【図１２】本実施例のメニュー表示順番である。
【符号の説明】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６８  撮影モード選択ＳＷ
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インタフェース
２０６  コネクタ
３０１  時計
３０２  測位手段
３０３温度計
３０４  圧力計
【図１】
2004336326.tif 000003
【図２】
2004336326.tif 000004
【図３】
2004336326.tif 000005
【図４】
2004336326.tif 000006
【図５】
2004336326.tif 000007
【図６】
2004336326.tif 000008
【図７】
2004336326.tif 000009
【図８】
2004336326.tif 000010
【図９】
2004336326.tif 000011
【図１０】
2004336326.tif 000012
【図１１】
2004336326.tif 000013
【図１２】
2004336326.tif 000014